【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
装置本体と、
前記装置本体に着脱可能なユニットと、
前記装置本体に設けられており、駆動源による動力で回転する第１のカップリングと、前記ユニットに設けられており、前記第１のカップリングと噛み合って回転する第２のカップリングと、
を有し、
前記第１のカップリングは係合部を備え、前記第２のカップリングは前記係合部と係合する２つの突起部を備え、前記第１のカップリングと前記第２のカップリングのうちの少なくとも一方は前記第１のカップリングの回転軸線に対して傾斜した傾斜面を備え、
前記装置本体から前記ユニットを前記第１のカップリングの回転軸線に対して垂直な離脱方向へ引抜く際に、前記第２のカップリングが前記第１のカップリングよりも前記離脱方向に移動可能な構造になっており、
前記第２のカップリングが前記第１のカップリングに係合している時、前記２つの突起部の間の空間に前記第１のカップリングの一部が進入しており、前記第１のカップリングと前記第２のカップリングが係合した状態から前記第２のカップリングを前記離脱方向へ移動させる過程で、前記第１のカップリングと前記第２のカップリングのうちの少なくとも一方に設けられた前記傾斜面に他方が接触することにより、前記第２のカップリングが前記第１のカップリングに対して相対的に前記第１のカップリングの回転軸線と平行な方向に退避を開始することを特徴とする画像形成装置。
【請求項２】
前記装置本体から前記ユニットを前記離脱方向へ引抜く時に、前記第１のカップリングと前記第２のカップリングのうちの少なくとも一方は、前記離脱方向に働く力によって回転可能であることを特徴とする請求項１に記載の画像形成装置。
【請求項３】
前記ユニットは、前記第２のカップリングを前記第１のカップリングの回転軸線と平行な方向であって前記第１のカップリングに向かう方向に付勢するバネを備えることを特徴とする請求項１又は２に記載の画像形成装置。
【請求項４】
前記ユニットは現像ユニットであり、前記第１のカップリングと前記第２のカップリングは、前記現像ユニットと前記装置本体の間のカップリングであることを特徴とする請求項１乃至３のいずれか一項に記載の画像形成装置。
【請求項５】
前記ユニットは、感光ドラムを備えることを特徴とする請求項１乃至３のいずれか一項に記載の画像形成装置。
【請求項６】
前記第２のカップリングには前記第２のカップリングの回転軸線に交差する平面が設けられ、前記２つの突起部は前記平面から前記第２のカップリングの回転軸線と平行な方向に突出した形状であることを特徴とする請求項１乃至５のいずれか一項に記載の画像形成装置。
【請求項７】
前記２つの突起部は前記第２のカップリングの回転軸線と平行な方向に伸びた突起であることを特徴とする請求項１乃至５のいずれか一項に記載の画像形成装置。
【請求項８】
前記傾斜面は前記２つの突起部に形成されていることを特徴とする請求項１乃至７に記載の画像形成装置。
【請求項９】
係合部を備え回転可能な第１のカップリングを有する電子写真画像形成装置の装置本体に対し、前記第１のカップリングの回転軸線と略直交する離脱方向に沿って取り外し可能なユニットであって、
前記第１のカップリングと噛み合って回転する第２のカップリングを有し、
前記第２のカップリングは前記係合部と係合する２つの突起部を備え、
前記第１のカップリングと前記第２のカップリングのうちの少なくとも一方は前記第１のカップリングの回転軸線に対して傾斜した傾斜面を備え、
前記装置本体から前記ユニットを前記離脱方向へ引抜く際に、前記第２のカップリングが前記第１のカップリングに対して前記離脱方向に移動可能な構造になっており、
前記第２のカップリングが前記第１のカップリングに係合している時、前記２つの突起部の間の空間に前記第１のカップリングの一部が進入しており、前記第１のカップリングと前記第２のカップリングが係合した状態から前記第２のカップリングを前記離脱方向へ移動させる過程で、前記第１のカップリングと前記第２のカップリングのうちの少なくとも一方に設けられた前記傾斜面に他方が接触することにより、前記第２のカップリングが前記第１のカップリングに対して相対的に前記第１のカップリングの回転軸線と平行な方向に退避を開始することを特徴とするユニット。
【請求項１０】
前記装置本体から前記ユニットを前記離脱方向へ引抜く時に、前記第１のカップリングと前記第２のカップリングのうちの少なくとも一方は、前記離脱方向に働く力によって回転可能であることを特徴とする請求項９に記載のユニット。
【請求項１１】
前記ユニットは、前記第２のカップリングを前記第１のカップリングの回転軸線と平行な方向であって前記第１のカップリングに向かう方向に付勢するバネを備えることを特徴とする請求項９又は１０に記載のユニット。
【請求項１２】
前記ユニットは現像ユニットであり、前記第１のカップリングと前記第２のカップリングは、前記現像ユニットと前記装置本体の間のカップリングであることを特徴とする請求項９乃至１１のいずれか一項に記載のユニット。
【請求項１３】
前記ユニットは、感光ドラムを備えることを特徴とする請求項９乃至１１のいずれか一項に記載のユニット。
【請求項１４】
前記第２のカップリングには前記第２のカップリングの回転軸線に交差する平面が設けられ、前記２つの突起部は前記平面から前記第２のカップリングの回転軸線と平行な方向に突出した形状であることを特徴とする請求項９乃至１３のいずれか一項に記載のユニット。
【請求項１５】
前記２つの突起部は前記第２のカップリングの回転軸線と平行な方向に伸びた突起であることを特徴とする請求項９乃至１３のいずれか一項に記載のユニット。
【請求項１６】
前記傾斜面は前記２つの突起部に形成されていることを特徴とする請求項９乃至１５に記載のユニット。
【手続補正２】
【補正対象書類名】明細書
【補正対象項目名】００１１
【補正方法】変更
【補正の内容】
【００１１】
上記課題を解決するための本発明の画像形成装置は、装置本体と、前記装置本体に着脱可能なユニットと、前記装置本体に設けられており、駆動源による動力で回転する第１のカップリングと、前記ユニットに設けられており、前記第１のカップリングと噛み合って回転する第２のカップリングと、を有し、前記第１のカップリングは係合部を備え、前記第２のカップリングは前記係合部と係合する２つの突起部を備え、前記第１のカップリングと前記第２のカップリングのうちの少なくとも一方は前記第１のカップリングの回転軸線に対して傾斜した傾斜面を備え、前記装置本体から前記ユニットを前記第１のカップリングの回転軸線に対して垂直な離脱方向へ引抜く際に、前記第２のカップリングが前記第１のカップリングよりも前記離脱方向に移動可能な構造になっており、前記第２のカップリングが前記第１のカップリングに係合している時、前記２つの突起部の間の空間に前記第１のカップリングの一部が進入しており、前記第１のカップリングと前記第２のカップリングが係合した状態から前記第２のカップリングを前記離脱方向へ移動させる過程で、前記第１のカップリングと前記第２のカップリングのうちの少なくとも一方に設けられた前記傾斜面に他方が接触することにより、前記第２のカップリングが前記第１のカップリングに対して相対的に前記第１のカップリングの回転軸線と平行な方向に退避を開始することを特徴とする。